(57)【要約】  本開示の一実施形態に係る描画システムは、記憶部と、生成部と、描画部とを備えている。記憶部は、ロイコ色空間における階調値と、光源の出力設定値との対応関係を記述した変換テーブルを記憶する。生成部は、ロイコ色空間で記述されたロイコ画像データと、変換テーブルとに基づいて、ロイコ画像データに対応する出力設定値を生成する。描画部は、生成部で生成された出力設定値に基づいて、各々がロイコ色素および光熱変換剤を含んで構成された複数の記録層を備えた記録媒体に描画する。
2020054330.tif 000002
【特許請求の範囲】
【請求項１】
ロイコ色空間における階調値と、光源の出力設定値との対応関係を記述した変換テーブルを記憶する記憶部と、
前記ロイコ色空間で記述されたロイコ画像データと、前記変換テーブルとに基づいて、前記ロイコ画像データに対応する前記出力設定値を生成する生成部と、
前記生成部で生成された前記出力設定値に基づいて、各々がロイコ色素および光熱変換剤を含んで構成された複数の記録層を備えた記録媒体に描画する描画部と
を備えた
描画システム。
【請求項２】
前記記憶部は、前記描画部による前記記録媒体への描画において消去不具合または媒体変質不具合が生じ得る範囲内の前記出力設定値を記述した除外条件リストを更に記憶し、
当該描画システムは、前記生成部によって生成された複数の前記出力設定値の中で前記除外条件リストに合致する前記出力設定値を、前記消去不具合または前記媒体変質不具合が生じ得る範囲内の前記出力設定値に置き換えて出力設定ファイルを作成する作成部を更に備え、
前記描画部は、前記作成部で作成された前記出力設定ファイルに基づいて、前記記録媒体に描画する
請求項１に記載の描画システム。
【請求項３】
前記描画部は、前記出力設定値に応じたパワーのレーザ光を出力する光源部によって構成されている
請求項１に記載の描画システム。
【請求項４】
前記記憶部は、デバイス依存色空間とデバイス非依存色空間との関係を記述するとともに、前記デバイス非依存色空間と前記ロイコ色空間との関係を記述した変換プロファイルを更に記憶し、
当該描画システムは、前記変換プロファイルを用いて、前記デバイス依存色空間で記述された画像データを、前記ロイコ色空間で記述された前記ロイコ画像データに変換する変換部を更に備えた
請求項１に記載の描画システム。
【請求項５】
前記変換プロファイルは、描画対象である記録媒体の種類ごとに設けられている
請求項４に記載の描画システム。
【請求項６】
前記デバイス依存色空間は、ＲＧＢ色空間であり、
前記デバイス非依存色空間は、Ｌ*，ａ*，ｂ*色空間、または、ＸＹＺ色空間である
請求項４に記載の描画システム。
【請求項７】
ロイコ色空間における階調値と、光源の出力設定値との対応関係を記述した変換テーブルに基づいて、前記ロイコ色空間における各色の階調値の組み合わせと、それらに対応する前記出力設定値との対応関係を記述したカラーリストを生成するカラーリスト生成ステップと、
前カラーリストに基づいて描画された、各々がロイコ色素および光熱変換剤を含んで構成された複数の記録層を備えた記録媒体を測色することにより得られるデバイス非依存色空間における値と、前カラーリストに含まれる前記ロイコ色空間における階調値との対応関係を記述した変換プロファイルを生成する変換プロファイル生成ステップと
を含む
変換プロファイルの作成方法。
【請求項８】
前記変換テーブルを生成する変換テーブル生成ステップを更に含み、
前記変換テーブル形成ステップにおいて、前記出力設定値として、前記記録媒体において発色対象の色とは異なる色が発色する不具合が生じ得る範囲内の前記出力設定値を除外して、前記変換テーブルを作成する
請求項７に記載の変換プロファイルの作成方法。
【発明の詳細な説明】
【技術分野】
【０００１】
本開示は、描画システム、および、変換プロファイルの作成方法に関する。
【背景技術】
【０００２】
感熱発色性組成物の一種であるロイコ色素を用いた感熱方式の記録媒体が普及している（例えば、特許文献１参照）。現在、そのような記録媒体には、一度書き込んだら消去のできない不可逆性の記録媒体と、何度でも書き換え可能な可逆性の記録媒体が実用化されている。
【先行技術文献】
【特許文献】
【０００３】
【特許文献１】特開２００４−７４５８４号公報
【発明の概要】
【０００４】
ところで、ロイコ色素を用いた感熱方式の記録媒体への描画では、忠実な色再現が難しいという問題があった。従って、ロイコ色素を用いた感熱方式の記録媒体で忠実に色再現することの可能な描画システム、および、変換プロファイルの作成方法を提供することが望ましい。
【０００５】
本開示の一実施形態に係る描画システムは、記憶部と、生成部と、描画部とを備えている。記憶部は、ロイコ色空間における階調値と、光源の出力設定値との対応関係を記述した変換テーブルを記憶する。生成部は、ロイコ色空間で記述されたロイコ画像データと、変換テーブルとに基づいて、ロイコ画像データに対応する出力設定値を生成する。描画部は、生成部で生成された出力設定値に基づいて、各々がロイコ色素および光熱変換剤を含んで構成された複数の記録層を備えた記録媒体に描画する。
【０００６】
本開示の一実施形態に係る描画システムでは、ロイコ色空間で記述されたロイコ画像データと、変換テーブルとに基づいて、ロイコ画像データに対応する出力設定値が生成される。変換テーブルには、ロイコ色空間における階調値と、出力設定値との対応関係が記述されている。これにより、ロイコ画像データを描画するのに適した出力設定値が得られる。
【０００７】
本開示の一実施形態に係る変換プロファイルの作成方法は、以下の２つのステップを含む。
（Ａ）ロイコ色空間における階調値と、光源の出力設定値との対応関係を記述した変換テーブルに基づいて、ロイコ色空間における各色の階調値の組み合わせと、それらに対応する出力設定値とを記述したカラーリストを生成するカラーリスト生成ステップ
（Ｂ）カラーリストに基づいて描画された、各々がロイコ色素および光熱変換剤を含んで構成された複数の記録層を備えた記録媒体を測色することにより得られるデバイス非依存色空間における値と、ロイコ色空間における階調値との対応関係を記述した変換プロファイルを生成する変換プロファイル生成ステップ
【０００８】
本開示の一実施形態に係る変換プロファイルの作成方法では、ロイコ色空間における階調値と、出力設定値との対応関係を記述した変換テーブルに基づいて、ロイコ色空間における各色の階調値の組み合わせと、それらに対応する出力設定値とを記述したカラーリストが生成される。そして、カラーリストに基づいて描画された記録媒体を測色することにより得られるデバイス非依存色空間における値と、ロイコ色空間における階調値との対応関係を記述した変換プロファイルが生成される。これにより、カラーリストと、変換プロファイルを用いることで、ロイコ画像データを描画するのに適した出力設定値が得られる。
【図面の簡単な説明】
【０００９】
【図１】本開示の第１の実施の形態に係る描画システムの概略構成例を表す図である。
【図２】記録媒体の断面構成例を表す図である。
【図３】情報処理部の機能ブロックの一例を表す図である。
【図４】描画部の概略構成例を表す図である。
【図５】変換プロファイルの生成手順の一例を表す図である。
【図６】本開示の第２の実施の形態に係る描画システムの概略構成例を表す図である。
【図７】端末装置内の情報処理部の機能ブロックの一例を表す図である。
【図８】描画装置内の情報処理部の機能ブロックの一例を表す図である。
【発明を実施するための形態】
【００１０】
以下、本開示を実施するための形態について、図面を参照して詳細に説明する。以下の説明は本開示の一具体例であって、本開示は以下の態様に限定されるものではない。
【００１１】
＜１．第１の実施の形態＞
[構成]
本開示の第１の実施の形態に係る描画システム１について説明する。図１は、本実施の形態に係る描画システム１の概略構成例を表したものである。描画システム１は、後述の記録媒体１００に対して、情報の書き込み（描画）を行う。具体的には、描画システム１は、外部から入力された、デバイス依存色空間で記述された画像データ（以下、「入力画像データ」と称する。）を、ロイコ色空間で記述された画像データ（以下、「ロイコ画像データ」と称する。）に変換する。ここで、デバイス依存色空間は、例えば、ｓＲＧＢやａｄｏｂｅ（登録商標）ＲＧＢなどのＲＧＢ色空間である。ロイコ色空間は、記録媒体１００が特性として持つ色空間である。描画システム１は、さらに、変換により得られたロイコ画像データを、後述の描画部５０の出力設定値に変換し、変換により得られた出力設定値を描画部５０に入力することにより、記録媒体１００への描画を行う。このように、描画システム１は、記録媒体１００に適したカラーマネージメントシステムを備えている。以下では、最初に、記録媒体１００について説明し、その後に、描画システム１について説明する。
【００１２】
（記録媒体１００）
図２は、記録媒体１００に含まれる各層の構成例を表したものである。記録媒体１００は、発色色調が互いに異なる複数の記録層１３３を備えている。記録媒体１００は、例えば、基材１１１上に記録層１１３と断熱層１１４とが交互に積層された構造となっている。
【００１３】
記録媒体１００は、例えば、基材１１１上に、下地層１１２と、３つの記録層１１３（１１３ａ，１１３ｂ，１１３ｃ）と、２つの断熱層１１４（１１４ａ，１１４ｂ）と、保護層１１５とを備えている。３つの記録層１３（１１３ａ，１１３ｂ，１１３ｃ）は、基材１１１側から、記録層１１３ａ、記録層１１３ｂ、記録層１１３ｃの順に配置されている。２つの断熱層１１４（１１４ａ，１１４ｂ）は、基材１１１側から、断熱層１１４ａ、断熱層１１４ｂの順に配置されている。下地層１１２は、基材１１１の表面に接して形成されている。保護層１１５は、記録媒体１００の最表面に形成されている。
【００１４】
基材１１１は、各記録層１１３および各断熱層１１４を支持する。基材１１１は、その表面に各層を形成するための基板として機能する。基材１１１は光を透過するものであってもよいし、光を透過しないものであってもよい。光を透過しない場合には、基材１１１の表面の色は、例えば白色であってもよいし、白色以外の色であってもよい。基材１１１は、例えば、ＡＢＳ樹脂により構成されている。下地層１１２は、記録層１１３ａと基材１１１との密着性を向上させる機能を有するものである。下地層１１２は、例えば、光を透過する材料によって構成されている。なお、下地層１１２もしくは基材１１１の上もしくは下に、耐湿性バリア層や耐光性バリア層が設けられていてもよい。また、下地層１１２と記録層１１３ａとの間に、断熱層１１４が設けられていてもよい。
【００１５】
３つの記録層１１３（１１３ａ，１１３ｂ，１１３ｃ）は、発色状態と消色状態との間で可逆的に状態を変化させることができるものである。３つの記録層１１３（１１３ａ，１１３ｂ，１１３ｃ）は、発色状態における色が互いに異なる色になるように構成されている。３つの記録層１１３（１１３ａ，１１３ｂ，１１３ｃ）は、それぞれ、ロイコ色素１００Ａ（可逆性感熱発色性組成物）と、書き込みの際に発熱させる光熱変換剤１００Ｂ（光熱変換剤）とを含んで構成されている。３つの記録層１３（１１３ａ，１１３ｂ，１１３ｃ）は、それぞれ、さらに、顕色剤およびポリマーを含んで構成されている。
【００１６】
ロイコ色素１００Ａは、熱により顕色剤と結合して発色状態になり、あるいは顕色剤と分離して消色状態になるものである。各記録層１１３（１１３ａ，１１３ｂ，１１３ｃ）に含まれるロイコ色素１００Ａの発色色調は、記録層１１３ごとに異なっている。記録層１１３ａに含まれるロイコ色素１００Ａは、熱により顕色剤と結合することによりマゼンタ色に発色する。記録層１１３ｂに含まれるロイコ色素１００Ａは、熱により顕色剤と結合することによりシアン色に発色する。記録層１１３ｃに含まれるロイコ色素１００Ａは、熱により顕色剤と結合することにより黄色に発色する。３つの記録層１１３（１１３ａ，１１３ｂ，１１３ｃ）の位置関係は、上記の例に限定されるものではない。また、３つの記録層１１３（１１３ａ，１１３ｂ，１１３ｃ）は、消色状態では透明になる。これにより、記録媒体１００は、広い色域の色を用いて、画像を記録することができるようになっている。
【００１７】
光熱変換剤１００Ｂは、近赤外域（７００ｎｍ〜２５００ｎｍ）の光を吸収して熱を発するものである。なお、本明細書では、近赤外域とは、７００ｎｍ〜２５００ｎｍの波長帯を指している。各記録層１１３（１１３ａ，１１３ｂ，１１３ｃ）に含まれる光熱変換剤１００Ｂの吸収波長は、近赤外域（７００ｎｍ〜２５００ｎｍ）において互いに異なっている。記録層１１３ｃに含まれる光熱変換剤１００Ｂは、例えば、７６０ｎｍに吸収ピークを有している。記録層１１３ｂに含まれる光熱変換剤１１０Ｂは、例えば、８６０ｎｍに吸収ピークを有している。記録層１１３ａに含まれる光熱変換剤１００Ｂは、例えば、９１５ｎｍに吸収ピークを有している。各記録層１１３（１１３ａ，１１３ｂ，１１３ｃ）に含まれる光熱変換剤１００Ｂの吸収ピークは、上記の例に限定されるものではない。
【００１８】
断熱層１１４ａは、記録層１１３ａと記録層１１３ｂとの間で互いに熱が伝わりにくくするためのものである。断熱層１１４ｂは、記録層１１３ｂと記録層１１３ｃとの間で互いに熱が伝わりにくくするためのものである。保護層１１５は、記録媒体１００の表面を保護するためのものであり、記録媒体１００のオーバーコート層として機能する。２つの断熱層１１４（１１４ａ，１１４ｂ）および保護層１１５は、透明な材料によって構成されている。記録媒体１００は、例えば、保護層１１５の直下に、比較的剛性の高い樹脂層（例えば、ＰＥＮ樹脂層）などを備えていてもよい。なお、保護層１１５には、耐湿バリア層もしくは耐光性バリア層が含まれていてもよい。また、保護層１１５には、何らからの機能層が含まれていてもよい。
【００１９】
（描画システム１）
次に、本実施の形態に係る描画システム１について説明する。
【００２０】
描画システム１は、通信部１０、入力部２０、表示部３０、記憶部４０、描画部５０および情報処理部６０を備えている。描画システム１は、通信部１０を介してネットワークに接続されている。ネットワークは、例えば、ＬＡＮまたはＷＡＮなどの通信回線である。ネットワークには、端末装置が接続されている。描画システム１は、ネットワークを介して端末装置と通信することができるように構成されている。端末装置は、例えば携帯端末であり、ネットワークを介して描画システム１と通信することができるように構成されている。
【００２１】
通信部１０は、端末装置などの外部機器と通信を行う。通信部１０は、例えば、携帯端末などの外部機器から受信した入力画像データＩ1を情報処理部６０に転送する。入力画像データＩ1は、各画素の階調値がデバイス依存色空間で記述されたデータである。入力画像データＩ1において、各画素の階調値は、例えば、８ビットの赤階調、８ビットの緑階調および８ビットの青階調によって構成されている。
【００２２】
入力部２０は、ユーザからの入力（例えば、実行指示、データ入力など）を受け付ける。入力部２０は、例えば、表示部３０に、変換プロファイル４５（後述）の作成インターフェースが表示されているときに、表示されているインターフェースからの入力要求に応じた入力を行う。入力部２０は、ユーザによって入力された情報を情報処理部６０へ転送する。表示部３０は、情報処理部６０によって作成された各種画面データに基づいて、画面表示を行う。表示部３０は、例えば、液晶パネル、または、有機ＥＬ（Electro Luminescence）パネルなどによって構成されている。
【００２３】
記憶部４０は、例えば、変換テーブル４１、除外条件リスト４２、変換プロファイル４４，４５、処理プログラム４６および生成プログラム４７を記憶している。記憶部４０には、例えば、後述の描画プロセスにおいて生成される電圧値ファイル４３が記憶される。
【００２４】
変換テーブル４１は、記録媒体１００の色空間（ロイコ色空間）おける階調値（ＬM，ＬC，ＬY）と、描画部５０の出力設定パラメータである指令電圧値（ＤM，ＤC，ＤY）との対応関係を記述したものである。指令電圧値ＤMは、描画部５０における光源５３Ａの出力設定パラメータである。指令電圧値ＤCは、描画部５０における光源５３Ｂの出力設定パラメータである。指令電圧値ＤYは、描画部５０における光源５３Ｃの出力設定パラメータである。
【００２５】
変換テーブル４１に記述された指令電圧値（ＤM，ＤC，ＤY）が過度に大きい場合、描画部５０が発色対象ではない色を記録媒体１００に発色させてしまうおそれがある。そのため、変換テーブル４１に記述された指令電圧値（ＤM，ＤC，ＤY）は、そのような描画不具合が生じない範囲内に設定されていることが好ましい。また、変換テーブル４１における階調値（ＬM，ＬC，ＬY）と指令電圧値（ＤM，ＤC，ＤY）との対応関係が、後述のカラーリスト７３（図５参照）を作りやすい関係となっていることが好ましい。具体的には、変換テーブル４１における階調値（ＬM，ＬC，ＬY）と指令電圧値（ＤM，ＤC，ＤY）との対応関係が、各色の階調値（ＬM，ＬC，ＬY）が互いに等しい場合に記録媒体１００の発色がグレースケールとなるように設定されていることが好ましい。
【００２６】
除外条件リスト４２は、描画部５０による記録媒体１００への描画において消去不具合または媒体変質不具合が生じ得る範囲内の指令電圧値（ＤMk，ＤCk，ＤYk）を記述したものである。ここで、消去不具合とは、記録媒体１００に描画された画像を、視認困難なレベルにまで消去することができなくなる不具合を指している。媒体変質不具合とは、記録媒体１００に照射したレーザ光が強すぎて、記録媒体１００にアブレーションが生じてしまうなどの不具合を指している。
【００２７】
電圧値ファイル４３は、ロイコ色空間で記述されたロイコ画像データＩ3と、変換テーブル４１とに基づいて設定される。電圧値ファイル４３は、ロイコ画像データＩ3の各画素の階調値（ＬMi，ＬCi，ＬYi）（ｉは画素のアドレス）に対応する指令電圧値（ＤMi，ＤCi，ＤYi）のリストである。つまり、電圧値ファイル４３は、複数の指令電圧値（ＤMi，ＤCi，ＤYi）によって構成されている。ここで、ロイコ画像データＩ3は、外部から入力される、デバイス依存色空間で記述された入力画像データＩ1に基づいて生成される。従って、電圧値ファイル４３は、外部から入力画像データＩ1が入力されたときに生成される。なお、電圧値ファイル４３において、電圧値ファイル４３に含まれる指令電圧値（ＤMi，ＤCi，ＤYi）のリストの中で除外条件リスト４２に合致する指令電圧値（ＤMi，ＤCi，ＤYi）が除外されていてもよい。
【００２８】
変換プロファイル４４，４５は、いわゆるＩＣＣ（International Color Consortium）プロファイルである。ＩＣＣプロファイルとは、カラーマネージメントにおいて、ＩＣＣの公表した標準に従い、色に関わる入出力機器や色空間を特徴付ける一連のデータである。
【００２９】
変換プロファイル４４は、カラーマネージメントにおける入力プロファイルである。変換プロファイル４４は、デバイス依存色空間とデバイス非依存色空間との関係を記述（マッピング）したものである。ここで、デバイス依存色空間は、例えば、ｓＲＧＢやａｄｏｂｅ（登録商標）ＲＧＢなどのＲＧＢ色空間である。デバイス非依存色空間は、例えば、Ｌ*，ａ*，ｂ*色空間である。変換プロファイル４５は、カラーマネージメントにおける出力プロファイルである。変換プロファイル４５は、デバイス非依存色空間とロイコ色空間との関係を記述（マッピング）したものである。変換プロファイル４５は、後述の生成プロセスにおいて生成される。
【００３０】
処理プログラム４６は、変換プロファイル４４，４５を用いて、デバイス依存色空間で記述された入力画像データＩ1を、デバイス非依存色空間で記述された中間画像データＩ2を経由して、ロイコ色空間で記述されたロイコ画像データＩ3に変換する手順を含む。処理プログラム４６によるロイコ画像データＩ3の生成プロセスは、後述の描画プロセスの一部を構成している。
【００３１】
生成プログラム４７は、変換テーブル４１と、ロイコ色空間における各色の階調値（ＬM，ＬC，ＬY）の組み合わせ（以下、「ロイコ組み合わせリスト７１」と称する。）とを生成する手順を含む。生成プログラム４７は、さらに、変換テーブル４１に基づいて、ロイコ組み合わせリスト７１に対応する指令電圧値（ＤM，ＤC，ＤY）の組み合わせ（以下、「電圧組み合わせリスト７２」と称する。）を生成する手順を含む。生成プログラム４７は、さらに、ロイコ組み合わせリスト７１と、電圧組み合わせリスト７２との対応関係を記述したカラーリスト７３を生成する手順を含む。生成プログラム４７によるカラーリスト７３の生成プロセスは、後述の生成プロセスの一部を構成している。
【００３２】
情報処理部６０は、プロセッサを含んで構成されており、記憶部４０に記憶されたプログラム（例えば、処理プログラム４６または生成プログラム４７）を実行する。
【００３３】
情報処理部６０は、記録媒体１００に最適なカラーマネージメントシステムを、ＩＣＣプロファイルの一種である変換プロファイル４４，４５を適応させて構築したものである。カラーマネージメントシステムの機能としては、記録媒体１００の色空間把握と様々な色空間（例えば、ｓＲＧＢやａｄｏｂｅ（登録商標）ＲＧＢなどのＲＧＢ色空間）からの色空間圧縮（マッピング）が重要となる。これら機能は、ＩＣＣプロファイルの一種である変換プロファイル４４，４５により色に関わる入出力機器間で容易に管理することができる。ＩＣＣプロファイルの一種である変換プロファイル４４，４５により入出力機器間で各々の色域の元、色再現を前提とした色情報のやり取り（ガモットマッピング/色空間圧縮）が行われる。
【００３４】
情報処理部６０は、例えば、処理プログラム４６がロードされることにより、記憶部４０から読み出した変換プロファイル４４を用いて、受信した入力画像データＩ1を、中間画像データＩ2に変換する。中間画像データＩ2は、各画素の値がデバイス非依存色空間で記述されたデータである。デバイス非依存色空間は、例えば、Ｌ*，ａ*，ｂ*色空間である。中間画像データＩ2において、各画素の値は、変換プロファイル４４によって変換されることにより生成されたＬ*ａ*ｂ*値によって構成されている。
【００３５】
情報処理部６０は、さらに、例えば、処理プログラム４６がロードされることにより、記憶部４０から読み出した変換プロファイル４５を用いて、中間画像データＩ2を、ロイコ画像データＩ3に変換する。ロイコ画像データＩ3は、例えば、各画素の階調値がロイコ色空間で記述されたデータである。ロイコ色空間は、例えば、８ビットのマゼンタ階調、８ビットのシアン階調および８ビットのイエロー階調によって構成されている。情報処理部６０は、さらに、例えば、ロイコ画像データＩ3を描画部５０に転送する。
【００３６】
情報処理部６０は、例えば、生成プログラム４７がロードされることにより、変換プロファイル４５を生成し、記憶部４０に記憶させる。変換プロファイル４５の生成については、後に詳述するものとする。
【００３７】
図３は、情報処理部６０の機能ブロックの一例を表したものである。情報処理部６０は、例えば、色空間変換部６１と、指令電圧値算出部６２と、除外判定部６３とを有しており、これらによって描画プロセスを実行する。なお、必要に応じて除外判定部６３が省略されてもよい。
【００３８】
色空間変換部６１は、外部から通信部１０を介して入力画像データＩ1が入力されると、記憶部４０から読み出した変換プロファイル４４を用いて、入力画像データＩ1を中間画像データＩ2に変換する。入力画像データＩ1がａｄｏｂｅ（登録商標）ＲＧＢ色空間で記述されている場合には、色空間変換部６１は、変換プロファイル４４に記述された、ａｄｏｂｅ（登録商標）ＲＧＢ色空間からＬ*，ａ*，ｂ*色空間への変換プロファイルを用いて、入力画像データＩ1を、Ｌ*，ａ*，ｂ*色空間で記述された中間画像データＩ2に変
換する。
【００３９】
色空間変換部６１は、さらに、記憶部４０から読み出した変換プロファイル４５を用いて、中間画像データＩ2をロイコ画像データＩ3に変換する。中間画像データＩ2がＬ*，ａ*，ｂ*色空間で記述されている場合には、色空間変換部６１は、変換プロファイル４５に記述された、Ｌ*，ａ*，ｂ*色空間からロイコ色空間への変換プロファイルを用いて、中間画像データＩ2を、ロイコ色空間で記述されたロイコ画像データＩ3に変換する。色空間変換部６１は、ロイコ画像データＩ3を指令電圧値算出部６２に転送する。
【００４０】
指令電圧値算出部６２は、ロイコ画像データＩ3と、変換テーブル４１とに基づいて、ロイコ画像データＩ3に対応する指令電圧値Ｄｖを生成する。具体的には、指令電圧値算出部６２は、記憶部４０から読み出した変換テーブル４１を用いて、ロイコ画像データＩ3の各画素の各色の階調値（ＬMi，ＬCi，ＬYi）を、描画部５０の出力設定値である指令電圧値Ｄｖ（ＤMi，ＤCi，ＤYi）に変換する。指令電圧値算出部６２は、指令電圧値Ｄｖ（ＤMi，ＤCi，ＤYi）のリストを除外判定部６３に転送する。
【００４１】
除外判定部６３は、記憶部４０から読み出した除外条件リスト４２を用いて、指令電圧値Ｄｖ（ＤMi，ＤCi，ＤYi）のリストの中に、描画部５０による記録媒体１００への描画において消去不具合または媒体変質不具合が生じ得る範囲内の指令電圧値Ｄｖ（ＤMk，ＤCk，ＤYk）が含まれているか否かを判定する。その結果、指令電圧値算出部６２は、含まれているとの判定をした場合には、該当する指令電圧値Ｄｖ（ＤM，ＤC，ＤY）を、消去不具合または媒体変質不具合が生じ得る範囲外の指令電圧値Ｄｖ（ＤM，ＤC，ＤY）に置き換え、それにより得られた指令電圧値Ｄｖ（ＤMi，ＤCi，ＤYi）のリストを、電圧値ファイル４３として記憶部４０に記憶させる。除外判定部６３は、さらに、電圧値ファイル４３（指令電圧値（ＤMi，ＤCi，ＤYi）のリスト）を描画部５０に転送する。
【００４２】
次に、描画部５０について説明する。描画部５０は、情報処理部６０から入力される電圧値ファイル４３（指令電圧値（ＤMi，ＤCi，ＤYi）のリスト）に基づいて、記録媒体１００に描画する。描画部５０は、例えば、信号処理回路５１、レーザ駆動回路５２、光源部５３、調整機構５４、スキャナ駆動回路５５、およびスキャナ部５６を有しており、これらによって描画プロセスを実行する。
【００４３】
信号処理回路５１は、情報処理部６０から入力される電圧値ファイル４３（指令電圧値（ＤMi，ＤCi，ＤYi）のリスト）を、画像信号Ｄｉｎとして取得する。信号処理回路５１は、例えば、画像信号Ｄｉｎから、スキャナ部５６のスキャナ動作に応じた画素信号Ｄｏｕｔを生成する。画素信号Ｄｏｕｔは、光源部５３（例えば、後述の各光源５３Ａ，５３Ｂ，５３Ｃ）に、指令電圧値（ＤMi，ＤCi，ＤYi）に応じたパワーのレーザ光を出力させる。信号処理回路５１は、レーザ駆動回路５２とともに、画素信号Ｄｏｕｔに応じて、光源部５３（例えば、各光源５３Ａ，５３Ｂ，５３Ｃ）に印加する電流パルスの波高値などを制御する。
【００４４】
レーザ駆動回路５２は、例えば、画素信号Ｄｏｕｔにしたがって光源部５３の各光源５３Ａ，５３Ｂ，５３Ｃを駆動する。レーザ駆動回路５２は、例えば、画素信号Ｄｏｕｔに応じた画像を描画するためにレーザ光の輝度（明暗）を制御する。レーザ駆動回路５２は、例えば、光源５３Ａを駆動する駆動回路５２Ａと、光源５３Ｂを駆動する駆動回路５２Ｂと、光源５３Ｃを駆動する駆動回路５２Ｃとを有している。光源５３Ａ，５３Ｂ，５３Ｃは、指令電圧値（ＤMi，ＤCi，ＤYi）に応じたパワーのレーザ光を出力する。光源５３Ａ，５３Ｂ，５３Ｃは、近赤外域のレーザ光を出射する。光源５３Ａは、例えば、発光波長λ１のレーザ光Ｌａを出射する半導体レーザである。光源５３Ｂは、例えば、発光波長λ２のレーザ光Ｌｂを出射する半導体レーザである。光源５３Ｃは、例えば、発光波長λ３のレーザ光Ｌｃを出射する半導体レーザである。発光波長λ１，λ２，λ３は、例えば、以下の式（１）、式（２）、式（３）を満たしている。
【００４５】
λａ１−２０ｎｍ＜λ１＜λａ１＋２０ｎｍ…（１）
λａ２−２０ｎｍ＜λ２＜λａ２＋２０ｎｍ…（２）
λａ３−２０ｎｍ＜λ３＜λａ３＋２０ｎｍ…（３）
【００４６】
ここで、λａ１は、記録層１１３ａの吸収波長（吸収ピーク波長）であり、例えば、９１５ｎｍである。λａ２は、記録層１１３ｂの吸収波長（吸収ピーク波長）であり、例えば、８６０ｎｍである。λａ３は、記録層１１３ｃの吸収波長（吸収ピーク波長）であり、例えば、７６０ｎｍである。なお、式（１）、式（２）、式（３）における「±２０ｎｍ」は、許容誤差範囲を意味している。発光波長λ１，λ２，λ３が式（１）、式（２）、式（３）を満たす場合、発光波長λ１は、例えば、９１５ｎｍであり、発光波長λ２は、例えば、８６０ｎｍであり，発光波長λ３は、例えば、７６０ｎｍである。
【００４７】
光源部５３は、近赤外域において発光波長の互いに異なる複数の光源を有している。光源部５３は、例えば、３つの光源５３Ａ，５３Ｂ，５３Ｃを有している。光源部５３は、さらに、例えば、複数の光源（例えば、３つの光源５３Ａ，５３Ｂ，５３Ｃ）から出射されたレーザ光を合波する光学系を有している。光源部５３は、そのような光学系として、例えば、２つの反射ミラー５３ａ，５３ｄと、２つのダイクロイックミラー５３ｂ，５３ｃと、レンズ５３ｅとを有している。
【００４８】
２つの光源５３Ａ，５３Ｂから出射された各レーザ光Ｌａ，Ｌｂは、例えば、コリメートレンズによってほぼ平行光（コリメート光）にされる。その後、例えば、レーザ光Ｌａは、反射ミラー５３ａで反射されるとともにダイクロイックミラー５３ｂで反射され、レーザ光Ｌｂは、ダイクロイックミラー５３ｂを透過することにより、レーザ光Ｌａとレーザ光Ｌａとが合波される。レーザ光Ｌａとレーザ光Ｌａとの合波光は、ダイクロイックミラー５３ｃを透過する。
【００４９】
光源５３Ｃから出射されたレーザ光Ｌｃは、例えば、コリメートレンズによってほぼ平行光（コリメート光）にされる。その後、レーザ光Ｌｃは、例えば、反射ミラー５３ｄで反射されるとともにダイクロイックミラー５３ｃで反射される。これにより、ダイクロイックミラー５３ｃを透過した上記合波光と、ダイクロイックミラー５３ｃで反射されたレーザ光Ｌｃとが合波される。光源部５３は、例えば、上記の光学系による合波により得られた合波光Ｌｍをスキャナ部５６に出力する。
【００５０】
調整機構５４は、光源部５３から出射される合波光Ｌｍのフォーカスを調整するための機構である。調整機構５４は、例えば、ユーザによる手動操作によってレンズ５３ｅの位置を調整する機構である。なお、調整機構５４は、機械による操作によってレンズ５３ｅの位置を調整する機構であってもよい。
【００５１】
スキャナ駆動回路５５は、例えば、信号処理回路５１から入力された投影映像クロック信号に同期して、スキャナ部５６を駆動する。また、スキャナ駆動回路５５は、例えば、スキャナ部５６から、後述の２軸スキャナ５６Ａなどの照射角度についての信号が入力される場合には、その信号に基づいて、所望の照射角度になるようにスキャナ部５６を駆動する。
【００５２】
スキャナ部５６は、例えば、光源部５３から入射された合波光Ｌｍを、記録媒体１００の表面上でラスタースキャンさせる。スキャナ部５６は、例えば、２軸スキャナ５６Ａと、ｆθレンズ５６Ｂとを有している。２軸スキャナ５６Ａは、例えば、ガルバノミラーである。ｆθレンズ５６Ｂは、２軸スキャナ５６Ａによる等速回転運動を、焦点平面（記録媒体１００の表面）上を動くスポットの等速直線運動に変換する。なお、スキャナ部５６は、１軸スキャナと、ｆθレンズとによって構成されていてもよい。この場合、記録媒体１００を、１軸スキャナのスキャン方向と直交する方向に変位させる１軸ステージが設けられていることが好ましい。
【００５３】
次に、描画システム１における情報の書き込みの一例について説明する。
【００５４】
[書き込み]
まず、ユーザは、記録媒体１００を用意し、描画部５０にセットする。次に、ユーザは、端末装置からネットワークを介して、ＲＧＢ色空間で記述された入力画像データＩ1を描画システム１に送信する。描画システム１は、入力画像データＩ1を、ネットワークを介して受信すると、以下の描画プロセスを実行する。
【００５５】
まず、情報処理部６０は、通信部１０を介して入力画像データＩ1を受信すると、記憶部４０から読み出した変換プロファイル４４を用いて、ＲＧＢ色空間で記述された入力画像データＩ1を、Ｌ*，ａ*，ｂ*色空間で記述された中間画像データＩ2に変換する。続いて、情報処理部６０は、記憶部４０から読み出した変換プロファイル４５を用いて、Ｌ*，ａ*，ｂ*色空間で記述された中間画像データＩ2を、ロイコ色空間で記述されたロイコ画像データＩ3に変換する。
【００５６】
次に、情報処理部６０は、記憶部４０から読み出した変換テーブル４１を用いて、ロイコ画像データＩ3の各画素の各色の階調値（ＬMi，ＬCi，ＬYi）を、描画部５０の出力設定値である指令電圧値Ｄｖ（ＤMi，ＤCi，ＤYi）に変換する。続いて、情報処理部６０は、記憶部４０から読み出した除外条件リスト４２を用いて、指令電圧値Ｄｖ（ＤMi，ＤCi，ＤYi）のリストの中に、描画部５０による記録媒体１００への描画において消去不具合または媒体変質不具合が生じ得る範囲内の指令電圧値Ｄｖ（ＤMk，ＤCk，ＤYk）が含まれているか否かを判定する。その結果、情報処理部６０は、含まれているとの判定をした場合には、該当する指令電圧値Ｄｖ（ＤM，ＤC，ＤY）を、指令電圧値Ｄｖ（ＤMi，ＤCi，ＤYi）のリストから除外し、それにより得られた指令電圧値Ｄｖ（ＤMi，ＤCi，ＤYi）のリストを、電圧値ファイル４３として記憶部４０に記憶させる。
【００５７】
情報処理部６０は、さらに、電圧値ファイル４３（指令電圧値（ＤM，ＤC，ＤY）のリスト）を描画部５０に転送する。描画部５０の信号処理回路５１は、情報処理部６０から入力される電圧値ファイル４３（指令電圧値（ＤM，ＤC，ＤY）のリスト）を、画像信号Ｄｉｎとして取得する。信号処理回路５１は、画像信号Ｄｉｎから、スキャナ部５６のスキャナ動作に同期し、レーザ光の波長などの特性に応じた画像信号を生成する。信号処理回路５１は、生成した画像信号通りにレーザ光が発光するような投影画像信号を生成する。信号処理回路５１は、生成した投影画像信号を、描画部５０のレーザ駆動回路５２に出力する。
【００５８】
レーザ駆動回路５２は、各波長に応じた投影映像信号にしたがって光源部５３の各光源５３Ａ，５３Ｂ，５３Ｃを駆動する。このとき、レーザ駆動回路５２は、例えば、光源５３Ａ、光源５３Ｂおよび光源５３Ｃのうち、少なくとも１つの光源からレーザ光を出射させ、記録媒体１００上で走査させる。
【００５９】
その結果、例えば発光波長７６０ｎｍのレーザ光Ｌａが、記録層１１３ｃ内の光熱変換剤１００Ｂに吸収され、それにより、光熱変換剤１００Ｂから発生した熱により記録層１１３ｃ内のロイコ色素１００Ａが書き込み温度に到達し、顕色剤と結合して黄色を発色する。黄色の発色濃度は、発光波長７６０ｎｍのレーザ光Ｌａの強度に依る。また、例えば発光波長８６０ｎｍのレーザ光Ｌｂが、記録層１１３ｂ内の光熱変換剤１００Ｂに吸収され、それにより、光熱変換剤１００Ｂから発生した熱により記録層１１３ｂ内のロイコ色素１００Ａが書き込み温度に到達し、顕色剤と結合してシアン色を発色する。シアン色の発色濃度は、発光波長８６０ｎｍのレーザ光Ｌｂの強度に依る。また、例えば発光波長９１５ｎｍのレーザ光Ｌｃが、記録層１１３ａ内の光熱変換剤１００Ｂに吸収され、それにより、光熱変換剤１００Ｂから発生した熱により記録層１１３ａ内のロイコ色素１００Ａが書き込み温度に到達し、顕色剤と結合してマゼンタ色を発色する。マゼンタ色の発色濃度は、発光波長９１５ｎｍのレーザ光Ｌｃの強度に依る。その結果、黄色、シアン色およびマゼンタ色の混色によって、所望の色が発色する。このようにして、描画部５０は、記録媒体１００における情報の書き込みを行う。
【００６０】
次に、描画システム１における情報の書き込みに必要な変換プロファイル４５の作成手順の一例について説明する。
【００６１】
[変換プロファイル４５の作成]
図５は、変換プロファイル４５の作成手順の一例を表したものである。まず、ユーザは、記録媒体１００を用意し、描画部５０にセットする。次に、ユーザは、入力部２０を操作することで、変換プロファイル４５作成用のインターフェースの表示を要求する。情報処理部６０は、その要求に応じて、変換プロファイル４５作成用の画面データを表示部３０に送信する。表示部３０は、情報処理部６０によって作成された画面データに基づいて、変換プロファイル４５作成用のインターフェースの表示を行う。続いて、ユーザは、変換プロファイル４５作成用のインターフェースの表示に基づいて、入力部２０を操作することで、変換プロファイル４５の作成動作を指示する。すると、情報処理部６０は、その指示に応じて、変換プロファイル４５の作成動作を実行する。
【００６２】
まず、情報処理部６０は、変換テーブル４１を生成する（ステップＳ１０１）。情報処理部６０は、変換テーブル４１の生成にあたって、まず、ロイコ色空間の色域における、Ｍａｇｅｎｔａ、ＧｙａｎおよびＹｅｌｌｏｗの指令電圧値（ＤM，ＤC，ＤY）の最大値（以下、単に「指令電圧値（ＤM，ＤC，ＤY）の最大値」と称する。）を設定する。具体的には、情報処理部６０は、表示部３０を介して、ユーザに指令電圧値（ＤM，ＤC，ＤY）の最大値の入力を要求する。ユーザは、入力部２０を操作することで、指令電圧値（ＤM，ＤC，ＤY）の最大値を入力する。このとき、ユーザは、描画不具合が生じない範囲内の値を入力することが好ましい。ユーザが、描画不具合が生じない範囲内の値を入力した場合には、情報処理部６０は、描画不具合が生じ得る範囲内の指令電圧値（ＤM，ＤC，ＤY）を除外して、変換テーブル４１を作成する。情報処理部６０は、例えば、入力部２０に入力された値を、ロイコ色空間における階調値（ＬM，ＭC，ＬY）が０のときの指令電圧値（ＤM，ＤC，ＤY）として設定するとともに、ロイコ色空間における階調値（ＬM，ＭC，ＬY）が２５５のときの指令電圧値（ＤM，ＤC，ＤY）を０に設定する。情報処理部６
０は、例えば、ロイコ色空間における階調値（ＬM，ＭC，ＬY）の１〜２５４のときの指令電圧値（ＤM，ＤC，ＤY）については、所手の補間処理を行うことで設定する。このようにして、情報処理部６０は、変換テーブル４１を生成する。所手の補間処理としては、例えば、ロイコ色空間における階調値（ＬM，ＭC，ＬY）と、指令電圧値（ＤM，ＤC，ＤY）との対応関係が、各色の階調値（ＬM，ＬC，ＬY）が互いに等しい場合に記録媒体１００の発色がグレースケールとなるような処理が挙げられる。
【００６３】
次に、情報処理部６０は、ロイコ色空間における各色の階調値（ＬM，ＬC，ＬY）の組み合わせ（ロイコ組み合わせリスト７１）を生成する（ステップＳ１０２）。情報処理部６０は、さらに、変換テーブル４１に基づいて、ロイコ組み合わせリスト７１に対応する指令電圧値（ＤM，ＤC，ＤY）の組み合わせ（電圧組み合わせリスト７２）を生成する（ステップＳ１０３）。次に、情報処理部６０は、ロイコ組み合わせリスト７１と、電圧組み合わせリスト７２との対応関係を記述したカラーリスト７３を生成する（ステップＳ１０４）。情報処理部６０は、生成したカラーリスト７３を描画部５０に転送する。
【００６４】
描画部５０の信号処理回路５１は、情報処理部６０からカラーリスト７３を受信すると、カラーリスト７３に基づいて記録媒体１００上に描画を行う（ステップＳ１０５）。これにより、記録媒体１００上にカラーチャートが形成される。ユーザは、記録媒体１００上のカラーチャートの測色を行う（ステップＳ１０６）。具体的には、ユーザは、記録媒体１００上のカラーチャートを、分光光度計で計測することにより、分光反射率を得る。
【００６５】
その後、ユーザは、入力部２０を操作することで、分光反射率の入力を要求する。情報処理部６０は、その要求に応じて、分光反射率入力用の画面データを表示部３０に送信する。表示部３０は、情報処理部６０によって作成された画面データに基づいて、分光反射率入力用のインターフェースの表示を行う。続いて、ユーザは、分光反射率入力用のインターフェースの表示に基づいて、入力部２０を操作することで、分光反射率を、通信部１０を介して描画システム１に入力する。すると、情報処理部６０は、入力された分光反射率に基づいて、カラーチャートの、Ｌ*，ａ*，ｂ*値を算出する。情報処理部６０は、算出により得られたカラーチャートの、Ｌ*，ａ*，ｂ*値と、カラーリスト７３に含まれるロイコ色空間における階調値との対応関係を記述した変換プロファイル４５を生成する（ステップＳ１０７）。このようにして、変換プロファイル４５が生成される。
【００６６】
[効果]
次に、本実施の形態に係る描画システム１の効果について説明する。
【００６７】
感熱発色性組成物の一種であるロイコ色素を用いた感熱方式の記録媒体が普及している。現在、そのような記録媒体には、一度書き込んだら消去のできない不可逆性の記録媒体と、何度でも書き換え可能な可逆性の記録媒体が実用化されている。ところで、ロイコ色素を用いた感熱方式の記録媒体への描画では、忠実な色再現が難しいという問題があった。
【００６８】
一方、本実施の形態に係る描画システム１では、ロイコ色空間で記述されたロイコ画像データＩ3と、変換テーブル４１とに基づいて、ロイコ画像データＩ3に対応する指令電圧値（ＤM，ＤC，ＤY）が生成される。変換テーブル４１には、ロイコ色空間における階調値（ＬM，ＬC，ＬY）と、指令電圧値（ＤM，ＤC，ＤY）との対応関係が記述されている。これにより、ロイコ画像データＩ3を描画するのに適した指令電圧値（ＤM，ＤC，ＤY）が得られる。その結果、記録媒体１００で忠実に色再現することができる。
【００６９】
また、本実施の形態に係る描画システム１では、電圧値ファイル４３において、電圧値ファイル４３に含まれる指令電圧値（ＤMi，ＤCi，ＤYi）のリストの中で除外条件リスト４２に合致する指令電圧値（ＤMi，ＤCi，ＤYi）が除外される。これにより、描画部５０による記録媒体１００への描画において消去不具合または媒体変質不具合が生じるのを防止することができる。
【００７０】
また、本実施の形態に係る描画システム１では、描画部５０の光源部５３は、指令電圧値（ＤMi，ＤCi，ＤYi）に応じたパワーのレーザ光を出力する。これにより、記録媒体１００に描画するのに適したパワーのレーザ光を出力することができる。その結果、記録媒体１００で忠実に色再現することができる。
【００７１】
また、本実施の形態に係る描画システム１では、変換プロファイル４４，４５を用いて、デバイス依存色空間で記述された入力画像データＩ1が、ロイコ色空間で記述されたロイコ画像データＩ3に変換される。これにより、ロイコ画像データＩ3を描画するのに適した指令電圧値（ＤM，ＤC，ＤY）を得ることができる。その結果、記録媒体１００で忠実
に色再現することができる。
【００７２】
また、本実施の形態に係る描画システム１において、デバイス依存色空間がＲＧＢ色空間となっており、デバイス非依存色空間がＬ*，ａ*，ｂ*色空間となっている場合には、汎用の変換プロファイル４４を用いることで、記録媒体１００で忠実に色再現することができる。
【００７３】
また、本実施の形態に係る描画システム１では、デバイス依存色空間とデバイス非依存色空間との関係を記述（マッピング）した変換プロファイル４４と、デバイス非依存色空間とロイコ色空間との関係を記述（マッピング）した変換プロファイル４５とが設けられている。これにより、描画システム１には、記録媒体１００に適したカラーマネージメントシステムが設けられているので、記録媒体１００で忠実に色再現することができる。
【００７４】
また、本実施の形態に係る変換プロファイル４５の作成方法では、ロイコ色空間おける階調値（ＬM，ＬC，ＬY）と、変換テーブル４１とに基づいて、ロイコ色空間おける階調値（ＬM，ＬC，ＬY）の組み合わせ（ロイコ組み合わせリスト７１）と、ロイコ組み合わせリスト７１に対応する指令電圧値（ＤM，ＤC，ＤY）の組み合わせ（電圧組み合わせリスト７２）との対応関係を記述したカラーリスト７３が生成される。そして、カラーリスト７３に基づいて描画された記録媒体１００のカラーチャートを測色することにより得られるデバイス非依存色空間における値と、カラーリスト７３に含まれるロイコ色空間における階調値との対応関係を記述した変換プロファイル４５が生成される。これにより、ロイコ画像データＩ3を描画するのに適した指令電圧値（ＤM，ＤC，ＤY）を得ることができる。その結果、記録媒体１００で忠実に色再現することができる。
【００７５】
また、本実施の形態に係る変換プロファイル４５の作成方法では、指令電圧値Ｄｖ（ＤMi，ＤCi，ＤYi）のリストの中に、描画部５０による記録媒体１００への描画において消去不具合または媒体変質不具合が生じ得る範囲内の指令電圧値Ｄｖ（ＤMk，ＤCk，ＤYk）が含まれている場合には、該当する指令電圧値Ｄｖ（ＤM，ＤC，ＤY）が、消去不具合または媒体変質不具合が生じ得る範囲外の指令電圧値Ｄｖ（ＤM，ＤC，ＤY）に置き換えられる。これにより、記録媒体１００において消去不具合または媒体変質不具合が生じるのを防止することができる。
【００７６】
＜２．第２の実施の形態＞
[構成]
本開示の第２の実施の形態に係る描画システム２について説明する。図６は、本実施の形態に係る描画システム２の概略構成例を表したものである。描画システム２は、記録媒体１００に対して、情報の書き込み（描画）および消去を行う。具体的には、描画システム２は、端末装置３において、入力画像データＩ1をロイコ画像データＩ3に変換する。描画システム２は、さらに、描画装置４において、ロイコ画像データＩ3を描画部５０の出力設定値に変換し、変換により得られた出力設定値を描画部５０に入力することにより、記録媒体１００への描画を行う。このように、描画システム２は、記録媒体１００に適したカラーマネージメントシステムを備えている。
【００７７】
描画システム２は、端末装置３および描画装置４を備えている。端末装置３は、通信部３４０を介してネットワーク５に接続されている。描画装置４は、通信部１０を介してネットワーク５に接続されている。ネットワーク５は、例えば、ＬＡＮまたはＷＡＮなどの通信回線である。端末装置３は、ネットワーク５を介して描画装置４と通信することができるように構成されている。描画装置４は、ネットワークを介して端末装置３と通信することができるように構成されている。
【００７８】
端末装置３は、例えば、入力部３１０、表示部３２０、記憶部３３０、通信部３４０および情報処理部３５０を備えている。
【００７９】
通信部３４０は、描画装置４と通信を行う。通信部３４０は、例えば、描画装置４から受信した各種データを情報処理部３５０に転送する。入力部３１０は、ユーザからの入力（例えば、実行指示、データ入力など）を受け付ける。入力部３１０は、ユーザによって入力された情報を情報処理部３５０へ転送する。表示部３２０は、情報処理部３５０によって作成された各種画面データに基づいて、画面表示を行う。表示部３２０は、例えば、液晶パネル、または、有機ＥＬ（Electro Luminescence）パネルなどによって構成されている。
【００８０】
記憶部３３０は、例えば、変換テーブル４１、変換プロファイル４４，４５および処理プログラム４６Ａを記憶している。処理プログラム４６Ａは、上記実施の形態における描画プロセスにおける前段部分の手順（ロイコ画像データＩ3を生成するまでの手順）を含む。
【００８１】
情報処理部３５０は、プロセッサを含んで構成されており、記憶部３３０に記憶されたプログラム（例えば、処理プログラム４６Ａ）を実行する。情報処理部３５０は、例えば、処理プログラム４６Ａがロードされることにより、変換プロファイル４４を用いて、受信した入力画像データＩ1を、中間画像データＩ2に変換する。情報処理部３５０は、さらに、例えば、処理プログラム４６Ａがロードされることにより、変換プロファイル４５を用いて、中間画像データＩ2を、ロイコ画像データＩ3に変換する。情報処理部３５０は、さらに、例えば、ロイコ画像データＩ3を、通信部３４０およびネットワーク５を介して、情報処理部３５０に送信する。情報処理部３５０は、例えば、図７に示したように、色空間変換部６１を有しており、色空間変換部６１において上述した一連の処理を実行することにより、ロイコ画像データＩ3を生成し、通信部３４０およびネットワーク５を介して描画装置４に送信する。
【００８２】
描画装置４は、例えば、通信部１０、入力部２０、表示部３０、記憶部４０、描画部５０および情報処理部６０を備えている。描画装置４において、記憶部４０は、変換テーブル４１、除外条件リスト４２および処理プログラム４６Ｂを記憶している。描画装置４において、記憶部４０には、電圧値ファイル４３が記憶される。処理プログラム４６Ｂは、上記実施の形態における描画プロセスにおける後段部分の手順（指定電圧値の設定以降の手順）を含む。
【００８３】
情報処理部６０は、プロセッサを含んで構成されており、記憶部４０に記憶されたプログラム（例えば、処理プログラム４６Ｂ）を実行する。情報処理部６０は、例えば、処理プログラム４６Ｂがロードされることにより、変換テーブル４１を用いて、ロイコ画像データＩ3の各画素の各色の階調値（ＬMi，ＬCi，ＬYi）を、指令電圧値Ｄｖ（ＤMi，ＤCi，ＤYi）に変換する。情報処理部６０は、例えば、処理プログラム４６Ｂがロードされることにより、記憶部４０から読み出した除外条件リスト４２を用いて、指令電圧値Ｄｖ（ＤMi，ＤCi，ＤYi）のリストの中に、描画部５０による記録媒体１００への描画において消去不具合または媒体変質不具合が生じ得る範囲内の指令電圧値Ｄｖ（ＤMk，ＤCk，ＤYk）が含まれているか否かを判定する。その結果、情報処理部６０は、含まれているとの判定をした場合には、該当する指令電圧値Ｄｖ（ＤM，ＤC，ＤY）を、消去不具合または媒体変質不具合が生じ得る範囲外の指令電圧値Ｄｖ（ＤM，ＤC，ＤY）に置き換え、それにより得られた指令電圧値Ｄｖ（ＤMi，ＤCi，ＤYi）のリストを、描画部５０に転送する。情報処理部６０は、例えば、図８に示したように、指令電圧値算出部６２および除外判定部６３を有しており、指令電圧値算出部６２および除外判定部６３において上述した一連の処理を実行することにより、電圧値ファイル４３（指令電圧値Ｄｖ（ＤMi，ＤCi，ＤYi）のリスト）を生成し、描画部５０に転送する。
【００８４】
[書き込み]
次に、描画システム２における情報の書き込みの一例について説明する。まず、ユーザは、記録媒体１００を用意し、描画部５０にセットする。次に、ユーザは、入力部３１０を操作することで、色空間変換用のインターフェースの表示を要求する。情報処理部３５０は、その要求に応じて、色空間変換用の画面データを表示部３２０に送信する。表示部３２０は、情報処理部３５０によって作成された画面データに基づいて、色空間変換用のインターフェースの表示を行う。続いて、ユーザは、色空間変換用のインターフェースの表示に基づいて、入力部３１０を操作することで、入力画像データＩ1を端末装置３の記憶部３３０に記憶させる。その後、ユーザは、色空間変換用のインターフェースの表示に基づいて、入力した入力画像データＩ1をロイコ画像データＩ3に変換する色空間変換動作を指示する。すると、情報処理部３５０は、その指示に応じて、色空間変換動作を実行する。
【００８５】
まず、情報処理部３５０は、記憶部３３０から読み出した変換プロファイル４４を用いて、ユーザから入力された入力画像データＩ1を、Ｌ*，ａ*，ｂ*色空間で記述された中間画像データＩ2に変換する。続いて、情報処理部３５０は、記憶部３３０から読み出した変換プロファイル４５を用いて、Ｌ*，ａ*，ｂ*色空間で記述された中間画像データＩ2を、ロイコ色空間で記述されたロイコ画像データＩ3に変換する。その後、情報処理部３５０は、通信部３４０およびネットワーク５を介して描画装置４に送信する。
【００８６】
描画装置４の情報処理部６０は、通信部１０を介してロイコ画像データＩ3を受信すると、記憶部４０から読み出した変換テーブル４１を用いて、ロイコ画像データＩ3の各画素の各色の階調値（ＬMi，ＬCi，ＬYi）を、描画部５０の出力設定値である指令電圧値Ｄｖ（ＤMi，ＤCi，ＤYi）に変換する。続いて、情報処理部６０は、記憶部４０から読み出した除外条件リスト４２を用いて、指令電圧値Ｄｖ（ＤMi，ＤCi，ＤYi）のリストの中に、描画部５０による記録媒体１００への描画において消去不具合または媒体変質不具合が生じ得る範囲内の指令電圧値Ｄｖ（ＤMk，ＤCk，ＤYk）が含まれているか否かを判定する。その結果、情報処理部６０は、含まれているとの判定をした場合には、該当する指令電圧値Ｄｖ（ＤM，ＤC，ＤY）を、指令電圧値Ｄｖ（ＤMi，ＤCi，ＤYi）のリストから除外し、それにより得られた指令電圧値Ｄｖ（ＤMi，ＤCi，ＤYi）のリストを、電圧値ファイル４３として記憶部４０に記憶させる。
【００８７】
情報処理部６０は、さらに、電圧値ファイル４３（指令電圧値（ＤM，ＤC，ＤY）のリスト）を描画部５０に転送する。描画部５０の信号処理回路５１は、情報処理部６０から入力される電圧値ファイル４３（指令電圧値（ＤM，ＤC，ＤY）のリスト）を、画像信号Ｄｉｎとして取得する。信号処理回路５１は、画像信号Ｄｉｎから、スキャナ部５６のスキャナ動作に同期し、レーザ光の波長などの特性に応じた画像信号を生成する。信号処理回路５１は、生成した画像信号通りにレーザ光が発光するような投影画像信号を生成する。信号処理回路５１は、生成した投影画像信号を、描画部５０のレーザ駆動回路５２に出力する。
【００８８】
レーザ駆動回路５２は、各波長に応じた投影映像信号にしたがって光源部５３の各光源５３Ａ，５３Ｂ，５３Ｃを駆動する。このとき、レーザ駆動回路５２は、例えば、光源５３Ａ、光源５３Ｂおよび光源５３Ｃのうち、少なくとも１つの光源からレーザ光を出射させ、記録媒体１００上で走査させる。その結果、黄色、シアン色およびマゼンタ色の混色によって、所望の色が発色する。このようにして、描画部５０は、記録媒体１００における情報の書き込みを行う。
【００８９】
本実施の形態に係る描画システム２では、入力画像データＩ1からロイコ画像データＩ3を生成するプロセスを実行する装置（端末装置３）が、上記実施の形態に係る描画システム１で実行される装置（情報処理部６０）と異なっている。しかし、本実施の形態に係る描画システム２では、上記実施の形態と同様の描画プロセスが実行される。従って、本実施の形態に係る描画システム２は、上記実施の形態と同様の効果を有している。
【００９０】
以上、各実施の形態およびその変形例を挙げて本開示を説明したが、本開示は上記各実施の形態等に限定されるものではなく、種々変形が可能である。
【００９１】
[変形例Ａ]
上記各実施の形態において、変換プロファイル４５は、描画対象である記録媒体１００の種類ごとに設けられていてもよい。このようにした場合には、様々な種類の記録媒体１００に対して、忠実な色再現を実現することができる。
【００９２】
[変形例Ｂ]
また、上記各実施の形態において、３つの記録層１１３（１１３ａ，１１３ｂ，１１３ｃ）は、一旦、発色状態となると消色状態に戻すことのできない不可逆的性の記録層となっていてもよい。
【００９３】
[変形例Ｃ]
上記各実施の形態等では、記録媒体１００が記録層１１３と断熱層１１４とが交互に積層されていたが、例えば、記録媒体１００がロイコ色素１００Ａと光熱変換剤１００Ｂとを含むマイクロカプセルを含んで構成されていてもよい。また、例えば、上記実施の形態等では、各記録層１１３（１１３ａ，１１３ｂ，１１３ｃ）は、可逆性感熱発色性組成物として、ロイコ色素１００Ａを含んでいたが、ロイコ色素１００Ａとは異なる材料を含んでいてもよい。また、例えば、上記実施の形態等において、描画システム１，２は、記録媒体１００に対して、情報の書き込みおよび消去を行うように構成されていてもよいし、記録媒体１００に対して、情報の書き込みおよび消去のうち少なくとも書き込みを行うように構成されていてもよい。
【００９４】
[変形例Ｄ]
例えば、上記各実施の形態等では、中間画像データＩ2がＬ*，ａ*，ｂ*色空間で記述されていた。しかし、例えば、上記実施の形態等において、中間画像データＩ2がデバイス非依存色空間の１つであるＸＹＺ色空間で記述されていてもよい。この場合には、色空間変換部６１は、変換プロファイル４５に記述された、ＸＹＺ色空間からロイコ色空間への変換プロファイルを用いて、中間画像データＩ2を、ロイコ色空間で記述されたロイコ画像データＩ3に変換する。また、この場合には、上記各実施の形態等の記載において、Ｌ*，ａ*，ｂ*色空間を、ＸＹＺ色空間に読み替えるものとする。ただし、カラーチャートの測色から、変換プロファイル４５の生成までの間のプロセスについては、以下のように読み替える。
【００９５】
ユーザは、記録媒体１００上のカラーチャートの測色を行う（ステップＳ１０６）。具体的には、ユーザは、記録媒体１００上のカラーチャートを、人の眼と等価な感度のＸＹＺ表色系のカメラで計測することにより、ＸＹＺ色空間の画像データを得る。その後、ユーザは、入力部２０を操作することで、ＸＹＺ色空間の画像データの入力を要求する。情報処理部６０は、その要求に応じて、ＸＹＺ色空間の画像データ入力用の画面データを表示部３０に送信する。表示部３０は、情報処理部６０によって作成された画面データに基づいて、ＸＹＺ色空間の画像データ入力用のインターフェースの表示を行う。続いて、ユーザは、ＸＹＺ色空間の画像データ入力用のインターフェースの表示に基づいて、入力部２０を操作することで、ＸＹＺ色空間の画像データを、通信部１０を介して描画システム１に入力する。すると、情報処理部６０は、入力されたＸＹＺ色空間の画像データに基づいて、カラーチャートの、Ｌ*，ａ*，ｂ*値を算出する。情報処理部６０は、算出により得られたカラーチャートの、Ｌ*，ａ*，ｂ*値と、カラーリスト７３に含まれるロイコ色空間における階調値との対応関係を記述した変換プロファイル４５を生成する（ステップＳ１０７）。このようにして、変換プロファイル４５が生成される。
【００９６】
[変形例Ｅ]
例えば、上記各実施の形態等では、ＩＣＣプロファイルの一種である変換プロファイル４４，４５が用いられていた。しかし、上記実施の形態等において、変換プロファイル４４，４５の代わりに、デバイスリンクプロファイルの一種である変換プロファイル４８が用いられていてもよい。変換プロファイル４８は、デバイス依存色空間と、ロイコ色空間との関係を記述（マッピング）したものである。変換プロファイル４８は、例えば、変換プロファイル４４と、変換プロファイル４５とに基づいて生成される。このようにした場合であっても、上記実施の形態等と同様の効果を奏する。
【００９７】
なお、本明細書中に記載された効果は、あくまで例示である。本開示の効果は、本明細書中に記載された効果に限定されるものではない。本開示が、本明細書中に記載された効果以外の効果を持っていてもよい。
【００９８】
また、例えば、本開示は以下のような構成を取ることができる。
（１）
ロイコ色空間における階調値と、光源の出力設定値との対応関係を記述した変換テーブルを記憶する記憶部と、
前記ロイコ色空間で記述されたロイコ画像データと、前記変換テーブルとに基づいて、前記ロイコ画像データに対応する前記出力設定値を生成する生成部と、
前記生成部で生成された前記出力設定値に基づいて、各々がロイコ色素および光熱変換剤を含んで構成された複数の記録層を備えた記録媒体に描画する描画部と
を備えた
描画システム。
（２）
前記記憶部は、前記描画部による前記記録媒体への描画において消去不具合または媒体変質不具合が生じ得る範囲内の前記出力設定値を記述した除外条件リストを更に記憶し、
当該描画システムは、前記生成部によって生成された複数の前記出力設定値の中で前記除外条件リストに合致する前記出力設定値を、前記消去不具合または前記媒体変質不具合が生じ得る範囲内の前記出力設定値に置き換えて出力設定ファイルを作成する作成部を更に備え、
前記描画部は、前記作成部で作成された前記出力設定ファイルに基づいて、前記記録媒体に描画する
（１）に記載の描画システム。
（３）
前記描画部は、前記出力設定値に応じたパワーのレーザ光を出力する光源部によって構成されている
（１）または（２）に記載の描画システム。
（４）
前記記憶部は、デバイス依存色空間とデバイス非依存色空間との関係を記述するとともに、前記デバイス非依存色空間と前記ロイコ色空間との関係を記述した変換プロファイルを更に記憶し、
当該描画システムは、前記変換プロファイルを用いて、前記デバイス依存色空間で記述された画像データを、前記ロイコ色空間で記述された前記ロイコ画像データに変換する変換部を更に備えた
（１）ないし（３）のいずれか１つに記載の描画システム。
（５）
前記変換プロファイルは、描画対象である記録媒体の種類ごとに設けられている
（４）に記載の描画システム。
（６）
前記デバイス依存色空間は、ＲＧＢ色空間であり、
前記デバイス非依存色空間は、Ｌ*，ａ*，ｂ*色空間、または、ＸＹＺ色空間である
（４）または（５）に記載の描画システム。
（７）
ロイコ色空間における階調値と、光源の出力設定値との対応関係を記述した変換テーブルに基づいて、前記ロイコ色空間における各色の階調値の組み合わせと、それらに対応する前記出力設定値との対応関係を記述したカラーリストを生成するカラーリスト生成ステップと、
前カラーリストに基づいて描画された、各々がロイコ色素および光熱変換剤を含んで構成された複数の記録層を備えた記録媒体を測色することにより得られるデバイス非依存色空間における値と、前カラーリストに含まれる前記ロイコ色空間における階調値との対応関係を記述した変換プロファイルを生成する変換プロファイル生成ステップと
を含む
変換プロファイルの作成方法。
（８）
前記変換テーブルを生成する変換テーブル生成ステップを更に含み、
前記変換テーブル形成ステップにおいて、前記出力設定値として、前記記録媒体において発色対象の色とは異なる色が発色する不具合が生じ得る範囲内の前記出力設定値を除外して、前記変換テーブルを作成する
（７）に記載の変換プロファイルの作成方法。
（９）
デバイス依存色空間とデバイス非依存色空間との関係を記述するとともに、前記デバイス非依存色空間と前記ロイコ色空間との関係を記述する変換プロファイルを記憶する記憶部を備えた
描画システム。
（１０）
前記変換プロファイルは、描画対象である記録媒体の種類ごとに設けられている
（９）に記載の描画システム。
（１１）
前記デバイス依存色空間は、ＲＧＢ色空間であり、
前記デバイス非依存色空間は、Ｌ*，ａ*，ｂ*色空間、または、ＸＹＺ色空間である
（９）または（１０）に記載の描画システム。
（１２）
前記記憶部は、前記ロイコ色空間における階調値と、光源の出力設定値との対応関係を記述した変換テーブルを更に記憶し、
当該描画システムは、
前記ロイコ色空間で記述されたロイコ画像データと、前記変換テーブルとに基づいて、前記ロイコ画像データに対応する前記出力設定値を生成する生成部と、
前記生成部で生成された前記出力設定値に基づいて、各々がロイコ色素および光熱変換剤を含んで構成された複数の記録層を備えた記録媒体に描画する描画部と
を更に備えた
（９）ないし（１１）のいずれか１つに記載の描画システム。
（１３）
前記描画部は、前記出力設定値に応じたパワーのレーザ光を出力する光源部によって構成されている
（１２）に記載の描画システム。
（１４）
前記記憶部は、前記描画部による前記記録媒体への描画において消去不具合または媒体変質不具合が生じ得る範囲内の前記出力設定値を記述した除外条件リストを更に記憶し、
当該描画システムは、前記生成部によって生成された複数の前記出力設定値の中で前記除外条件リストに合致する前記出力設定値を、前記消去不具合または前記媒体変質不具合が生じ得る範囲内の前記出力設定値に置き換えて出力設定ファイルを作成する作成部を更に備え、
前記描画部は、前記作成部で作成された前記出力設定ファイルに基づいて、前記記録媒体に描画する
（１２）または（１３）に記載の描画システム。
（１５）
デバイス依存色空間とデバイス非依存色空間との関係を記述するとともに、前記デバイス非依存色空間と前記ロイコ色空間との関係を記述する変換プロファイルを記憶する記憶部を備えた
端末装置。
（１６）
前記変換プロファイルは、描画対象である記録媒体の種類ごとに設けられている
（１５）に記載の端末装置。
（１７）
前記デバイス依存色空間は、ＲＧＢ色空間であり、
前記デバイス非依存色空間は、Ｌ*，ａ*，ｂ*色空間、または、ＸＹＺ色空間である
（１５）または（１６）に記載の端末装置。
【００９９】
本開示の一実施形態に係る描画システムによれば、ロイコ色空間で記述されたロイコ画像データと、変換テーブルとに基づいて、ロイコ画像データに対応する出力設定値を生成するようにしたので、ロイコ画像データを描画するのに適した出力設定値が得られる。その結果、ロイコ色素を用いた感熱方式の記録媒体で忠実に色再現することが可能となる。
【０１００】
本開示の一実施形態に係る変換プロファイルの作成方法によれば、変換テーブルに基づいて、ロイコ色空間における各色の階調値の組み合わせと、それらに対応する出力設定値との対応関係を記述したカラーリストを生成し、カラーリストに基づいて描画された記録媒体を測色することにより得られるデバイス非依存色空間における値と、カラーリストに含まれるロイコ色空間における階調値との対応関係を記述した変換プロファイルを生成するようにしたので、カラーリストと、変換プロファイルを用いることで、ロイコ画像データを描画するのに適した出力設定値が得られる。その結果、ロイコ色素を用いた感熱方式の記録媒体で忠実に色再現することが可能となる。
【０１０１】
本出願は、日本国特許庁において２０１８年９月１４日に出願された日本特許出願番号第２０１８−１７２６６３号を基礎として優先権を主張するものであり、この出願のすべての内容を参照によって本出願に援用する。
【０１０２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2020054330.tif 000003
【図２】
2020054330.tif 000004
【図３】
2020054330.tif 000005
【図４】
2020054330.tif 000006
【図５】
2020054330.tif 000007
【図６】
2020054330.tif 000008
【図７】
2020054330.tif 000009
【図８】
2020054330.tif 000010
【国際調査報告】
2020054330.tif 000011
2020054330.tif 000012
2020054330.tif 000013
2020054330.tif 000014